(57)【要約】【課題】使用者が就寝中にストレッチ効果を得ることができ、肩痛や肩こりを改善することができるストレッチ枕を提供する。【解決手段】第１ストレッチ部２０、第２ストレッチ部３０がクッション層５〜７の材質よりも硬度の高い材質から構成され、第１ストレッチ部２０、第２ストレッチ部３０の厚みにより凹部１０の領域で台状部として盛り上がるように形成されるので、受圧面で、頭部５０が正常位置にあるときには、頚椎６０を持ち上げるように支持することにより、仰向けに寝た時に、両肩が下がり、胸の筋肉が開くように形成される。【選択図】図１
2014036772.tif 000002
【特許請求の範囲】
【請求項１】
単数又は複数のクッション層を備える枕芯と、
前記クッション層を覆う表皮と、を備え、
頚椎が当たる領域の前記クッション層又は表皮に、厚みをもたせた、当該クッション層より面積の小さなクッション材であるストレッチ部を設けるストレッチ枕。
【請求項２】
前記ストレッチ部が、厚さ方向に間隔をおいて形成される２以上のクッション材から構成される請求項１のストレッチ枕。
【請求項３】
前記ストレッチ部が、前記クッション層よりも高密度の繊維層又は硬度の高い発泡材から構成される請求項１又は２のストレッチ枕。
【請求項４】
前記ストレッチ部を中央の特定位置に前後方向に組み込んだことを特徴とする請求項１ないし３いずれかのストレッチ枕。
【請求項５】
前記枕芯が、
１枚以上のクッション材で構成された上クッション層と、
１枚以上のクッション材で構成された中クッション層と、
１枚以上のクッション材で構成された下クッション層と、を備え、
上クッション層、中クッション層、又は上クッション層と中クッション層の中間に第１ストレッチ部が構成され、
前記中クッション層、下クッション層、又は中クッション層と下クッション層の中間に第２ストレッチ部が構成される請求項１ないし４いずれかのストレッチ枕。
【請求項６】
前記枕芯と表皮の中央部片側に頭部を受ける凹部を備えた請求項１ないし５いずれかのストレッチ枕。
【発明の詳細な説明】
【技術分野】
【０００１】
就寝時にストレッチ効果を発揮するストレッチ枕に関する発明である。
【背景技術】
【０００２】
安眠、熟睡等睡眠障害をテーマにした社会的ニーズは非常に大きい。それゆえ、睡眠障害を解決するために枕を視点とした公知発明は数多く考案されてきた。
【０００３】
例えば、登録実用新案第３０７２９０１号公報のように、枕本体にマチを構成し本体厚みが変化可能になるよう余裕を持たせ、内部に構成する詰め物を変え、枕高さを調整できるようにした公知発明がある。
【０００４】
しかしながら、前記登録実用新案第３０７２９０１号公報は、内部に構成する詰め物を変える行為が使用者によって煩雑であるし、安眠、熟睡に対して大きな効果は期待できていない。
【０００５】
例えば、特開第２０００−３５０６４９号公報のように、頭部が頸部より低く収まるよう頭部が入る陥没を構成し、頸部を支えようとした公知発明がある。
【０００６】
しかしながら、前記特開第２０００−３５０６４９号公報は、使用者の身長や後頭部の深さなど体格差によって寝心地が変わり、使用者によっては却って使用感が悪くなる欠点を生じる。
【０００７】
例えば特開第２０００−７００９４号公報のように、枕本体の下面と略同一形状で構成された複数枚の高さ調整材の数を調整し高さ調整を図ろうとする公知発明がある。
【０００８】
しかしながら、前記特開第２０００−７００９４号公報は、予め複数の高さ調整材を商品に同包すると不要な商材を購入者に供給することとなるし、また、供給側が在庫として保管し購入者が購入を必要な高さ調整材を追加購入することとなり購入者にとっての利便性が低下するし、いずれのケースに於いても、商品供給側にとっては製造在庫が増えたり、部品としての高さ調整材の品数が増えることによるコスト増、また使用者にとっては前記登録実用新案第３０７２９０１号公報のように煩雑性を増すこととなる。
【０００９】
例えば、特開第２００３−２４５１８１号公報のように、凸枕を基本に、基礎枕、高さ微調整枕の３種類を利用し高さ調整を図り、最上部にくる凸枕の下部と基礎枕上面の凸枕との接触面に凸枕の凸部と交わる方向に溝を形成し頭部を支え、さらに肩甲骨を枕の一部分に乗るよう構成し肩甲骨を同時に支える効果を意図した発明がある。
【００１０】
しかしながら、前記特開第２００３−２４５１８１号公報は、頭部が極端に落ち込みややもすれば額部が体の外側に反るように曲がり、寝姿によっては頸部に負担がかかり却って安眠や熟睡を妨げ目的を達成することに問題がある。
【００１１】
日本語の枕という語彙は、時に別の語彙であるクッションと置き換え表現される場合があるが、例えば、座布団としての意味合いを持つクッション材という技術分野に於いて、使用人の尻部や背部への効果を意識した特許第４１７３６７５号公報公報の発明があるが、本発明において作用の目的となる頭部及び頸部など体への直接的な作用を目的とせず、従来から家具に使用されているスプリング材の代替材として認識しているため、発明が目的としている作用とそのための構造に対する視点が全く違うものである。
【００１２】
上述の各公知発明を検案していると、睡眠という行為を科学的に考察した結果が見受けられず、医学的な所見を根拠とした発明から遠くかけ離れた側面があることや、端に枕が高い低い、また、硬い柔らかいという使用者の感覚のみに注目した発明であることが従来技術の欠点と言える。
【００１３】
また、いずれも使用者が限定される場合には概して有効であるが、例えば、宿泊施設など不特定多数の使用者を想定する場合や、汎用製品として販売する際、使用者の体格や性別、年齢等を考慮した汎用性を持たせることにすこぶる利便性が低下することとなる。
【先行技術文献】
【特許文献】
【００１４】
【特許文献１】登録実用新案第３０７２９０１号公報
【特許文献２】特開第２０００−３５０６４９号公報
【特許文献３】特開第２０００−７００９４号公報
【特許文献４】特開第２００３−２４５１８１号公報
【特許文献５】特許第４１７３６７５号公報
【発明の概要】
【発明が解決しようとする課題】
【００１５】
スポーツ、デスクワーク、家事等、普段、前屈みの姿勢を取ることが多く、首や肩への負担が増し首痛の原因となっている。また、無理な姿勢がたたり、肩痛つまり肩こりを引き起こす要因ともなっている。
【００１６】
例えば、パソコン作業での前傾姿勢や運動不足などが原因で、首や肩の痛みには、多くの現代人が悩まされている。また、例えば、バレーボールの運動選手は、首への負担が大きく、首の痛み、肩こりなどに悩まされていることが多い。また、バレーボールは前傾姿勢が基本のため、体が縮こまりやすく、それが通常生活の立ち姿勢の癖になっていた。練習や試合の前後は入念なストレッチをしているが、寝ている間に体が縮こまって呼吸もしづらく、起きてからまたストレッチをするような日々が多い。
【００１７】
首痛や肩痛を解消するには、ストレッチと呼ばれる伸縮運動を実施し、特に肩甲骨を中心とする体の背部を開き筋肉の疲労を緩和させることが有効とされているが、定期的に、また、肩痛や肩こりを改善するために効果的と言われているストレッチを継続的に実施することは、時間の都合やその日の体調等の個人差が原因でなかなか実施できないことが多い。そのため、疲労が蓄積し知らぬ間に肩痛や肩こりが発生し、自覚症状が生まれたときには、簡単に解消できず、肩痛や肩こりによる睡眠障害が発生している。
【００１８】
かかる問題を解決するためには、定期的にストレッチが可能な環境を１日の時間の中で調整し個人の状態に合った治療を施すことが最良の方法である。
【００１９】
人の体が自然な休息状態を継続でき、１日の中で最も長く生活活動から解放される時間を考えると、就寝中が一番万人に対する条件として合致する。つまり、就寝中に体が自然とストレッチ状態になれば無理なく定期的にストレッチが可能となり万人が無理なく肩痛や肩こりから自然に治癒ができる可能が期待できるはずである。
【００２０】
特に、枕という寝具に関し、安眠や熟睡という観点から多くの発明がなされてきたが、医学的な観点から就寝中のストレッチ効果を上げ、結果安眠や熟睡を解決するという視点に乏しかった。
【００２１】
体の各部は、普段は頭や首等それぞれに関しそれらの単重を感じることがないが、それらが持つ単重は意外にばらつきが多く、また、年齢や体格、性別によっても重量差が存在する。また、年齢や体格などによっても個体差が存在する。それゆえ、個人個人に最適な条件を持った枕を生産することが使用者にとっては最良の方法であるが、生産コストや流通方法を考えると無駄が多く市場供給価格に於いて使用者に対しメリットが乏しくなる。よって、使用者の個人差に可能な限り幅広く対応が可能で、且つ、相応なコストと販売価格を実現する必要がある。
【００２２】
そこで、本発明者は、睡眠中も理想の姿勢で安眠できる枕はないかとの結論に至り、就寝中にストレッチ効果が十分発揮されストレッチにより良質な睡眠へ導いてくれるストレッチ枕を発明するに至ったのである。本発明者は、肩痛と肩こり、安眠と熟睡、そして、それらの症状の改善に必要な条件を研究し、上記で指摘したような今まで完全に解決できなかった問題を解決する手段を講じることとした。
【課題を解決するための手段】
【００２３】
本発明は、胸にストレッチ効果を与えるストレッチ部を備えるストレッチ枕である。中央部片側に頭部を受ける凹部を備え、前記枕芯の中央部片側にストレッチ部を設けたものである。
【００２４】
本発明は、就寝中にストレッチ効果を発揮させるため、複数に分けられた硬度差のある反発素材を組み合わせ、さらに、首筋、頭、肩、背中の体重差を効果的に保持するよう異型反発材を特定の位置に組み込み、スポーツ医学の観点から芯材であるクッション層の構成を実施したストレッチ枕である。
【００２５】
本発明は、枕芯が単数又は複数のクッション層から構成され、ストレッチ部を、前記凹部の領域に位置し、頚椎が当たる特定の箇所に、隣接領域よりも厚みを持たせるように設けたストレッチ枕である。
【００２６】
本発明は、前記クッション層が硬度差のある複数の反発素材を組み合わせて構成され、縦長の前記ストレッチ部を前記クッション層の片側中央の特定位置に前後方向に組み込みんだことを特徴とする。
【００２７】
本発明は、前記ストレッチ部が前記クッション層の材質よりも高密度又は硬度の高い材質から構成される。
【００２８】
本発明は、前記枕芯が、１枚以上のクッション材で構成された上クッション層と、１枚以上のクッション材で構成された中クッション層と、１枚以上のクッション材で構成された下クッション層と、を備え、前記上クッション層、中クッション層、又は上クッション層と中クッション層の中間部に、前記凹部から後方にかけて第１ストレッチ部が構成され、前記中クッション層、下クッション層、又は中クッション層と下クッション層の中間部に、前記凹部から後方にかけて第２ストレッチ部が構成されている。
【００２９】
さらに、寝心地をより快適にするために、通気性素材によって構成された表皮で被った本発明のストレッチ枕である。
【発明の効果】
【００３０】
本発明のストレッチ枕により、就寝中のストレッチ効果がすこぶる発揮され、使用者から熟睡度及び安眠度が向上したばかりでなく、普段から悩んでいた肩痛や肩こりを感じる程度が改善される。
【００３１】
特に、頭、首、肩との関係から、それぞれに寝返り等によって発生する就寝中の形態差においての自由度が存在し、結果、仰向けでも横向きでもうつ伏せでも、頭、首、肩を必要な形態において支え切ることができるため、例えば寝違いと呼ばれ就寝中多々発生する首筋の痛みが抑制できる。
【００３２】
勿論、起床時から日中にかけての肩痛や肩こりも抑制できるので、本発明のストレッチ枕による効果は大きいなものがある。
【００３３】
本発明のストレッチ枕は汎用のクッション層を組み合わせることにより、低コストを実現し、結果、販売価格も他の同様な特殊機能を持つ枕と比較し低廉に抑えることができ、市場において購入可能なコストとなっている。
【００３４】
機能性効果だけでなくコスト面においての効果は、一般家庭など使用者個々による購入だけでなく宿泊施設など不特定多数の利用に対し十分対応可能なレベルにある。そのため、自動車や列車、航空機の枕等への応用が期待できることや、その製造プロセスが製造可能なコストレベルにあり、幅広い経済的効果が期待できる。
【図面の簡単な説明】
【００３５】
【図１】本発明実施形態ストレッチ枕の斜視図である。
【図２】本発明実施形態ストレッチ枕の平面図である。
【図３】本発明実施形態ストレッチ枕の枕芯の分解斜視図である。
【図４】本発明実施形態ストレッチ枕の使用状態参考図である。
【図５】本発明実施形態ストレッチ枕の変更形態の平面図である。
【発明を実施するための形態】
【００３６】
以下、本発明のストレッチ枕１の好適な実施形態について図面を参照して説明する。
【００３７】
図１〜図２に示す通り、ストレッチ枕１は、上表皮２、下表皮３、上表皮２と下表皮３で被覆された枕芯４とから構成されている。
【００３８】
上表皮２は、ストレッチ枕１本体の特長を最大限に引き出すために側生地には、フワフワした感触を活かすため、大判で身体との接地面積が多いことから、通気性を考慮して、表面に、ニットメッシュ生地を用いた。材質は例えば、ポリエステル１００％である。
【００３９】
下表皮３は、ずれにくく型崩れし難いよう、ポリエステル繊維が綿より多く含有されたもの、例えば、ポリエステル繊維６５％、綿３５％で、型崩れしにくい素材である。同じ生地で周囲をしっかりとかがっている。下表皮３は、大判ながらも薄く軽いので、持ち運びも簡単である。ベッドや布団での使用だけでなく、昼寝の際などにも気軽にリビングへ持ち運んで使用できる。短時間でも良質な眠りとストレッチ効果によって、すっきりリフレッシュできる。
【００４０】
上表皮２は、単種素材で構成してもよいが、より快適な睡眠環境を実現するため、例えば、できるだけ通気性に優れた素材を用いることが寝心地を良くするために好ましい。体が当たる上表皮２には、ニット織のメッシュ生地等通気性に優れた素材が望ましい。下表皮３の素材は、寝返り等、使用者の体が動いたときに布団等と擦れ雑音が発生したり、また、摩擦係数が小さいために起こるストレッチ枕１の移動を防ぐことが可能な素材が好ましい。
【００４１】
上表皮２及び下表皮３の縫い合わせ部分９は、そのまま縫い合わせることも良いし、意匠的な処理を施してもよい。
【００４２】
枕芯４は、図３に示す通り、複数のクッション層から構成され、上から順に、１枚のクッション材で構成された上クッション層５と、２枚のクッション材６ａ，６ｂで構成された中クッション層６と、１枚のクッション材で構成された下クッション層７と、を備えている。
【００４３】
クッション層５〜７が硬度差のある複数の反発素材を組み合わせて構成されている。
【００４４】
上クッション層５は厚さ２〜４mmの低反発のウレタンフォーム等の発泡層である。中クッション層６の崩れを防ぐものであり、触れた瞬間にソフトな反発力を生じるものである。
【００４５】
中クッション層６は、繊維が細くへたり難いマイクロファイバーからなる綿であり、ふわふわ感に優れ頭全体を柔らかく包み込む上クッション材６ａと、厚さ７〜９mmで柔らかめのウレタンからなり下部をソフトに支える下クッション材６ｂから構成されるものである。
【００４６】
下クッション層７は厚さ２〜２５mmで硬めのウレタンフォームのような発泡層からなるもので頭全体を支える土台である。
【００４７】
上面から見た場合、上クッション層５、中クッション層６、下クッション層７は、それぞれ、略同形の形状で構成され、突き出し部１５，１６も同じような形状に構成されている。
【００４８】
第１ストレッチ部２０、第２ストレッチ部３０がクッション層５〜７の材質よりも硬度の高い材質から構成されることが好ましい。また、第１ストレッチ部２０、第２ストレッチ部３０の厚みにより凹部１０の領域で台状部として盛り上がるように形成されるので、受圧面で、頭部５０が正常位置にあるときには、頚椎６０を持ち上げるように支持することにより、仰向けに寝た時に、両肩が下がり、胸の筋肉が開くように形成される。
【００４９】
第１ストレッチ部２０は上クッション層５の裏面、又は、中クッション層６の上クッション材６ａの上面にそれぞれ接着することが好ましい。接着方法は選ばないが、ストレッチ枕１としての製品の性質を考慮すると、有機性ガスによる臭いを避けることが可能な溶剤を使用しない熱硬化樹脂による接着や超音波溶着等の接着方式が望ましい。
【００５０】
上クッション層５、中クッション層６及び下クッション層７、それぞれは、１枚のクッション材により構成されてもよいし、２枚以上の複数のクッション材で構成されてもよい。２枚以上のクッション材により構成する場合には、同じ硬度や同じ厚みのものを利用しても良いし、異なる硬度や異なる厚みのクッション材を利用してもよい。
【００５１】
上クッション層５、中クッション層６、下クッション層７に使われるクッション材は、熱可塑性発泡ポリエチレン樹脂、熱硬化性発泡ウレタン樹脂などのクッション材を用いることが良いが、その他、天然素材、熱可塑性樹脂、熱硬化性樹脂、金属による発泡素材、綿素材、三次元立体網状構造体と呼ばれる素材、不織布などのクッション材が使用できる。また、それらのクッション材を単種で、また、混合して使用してもよい。
【００５２】
前記中クッション層６のクッション材は、枕全体の形を整える効果を達成するため、望ましくは綿状のクッション材が望ましい。
【００５３】
枕芯４の中央部片側に頭部５０を受ける凹部１０を備えている。ストレッチ枕１を上面から見ると、前部中央から後方に凹部１０が構成され、凹部１０の左右には突き出し部１５，１６が構成される。
【００５４】
第１ストレッチ部２０が上クッション層５と中クッション層６の間に挟持するように形成される。この第１ストレッチ部２０は、厚さ７〜９mmで柔らかめのウレタンからなり、上クッション材６ａの上に配置され、頚椎６０を支えるものである。また、第２ストレッチ部３０が中クッション層６と下クッション層７の間に挟持するように形成される。この第２ストレッチ部３０は厚さ１５〜２５mmで硬めのウレタンからなり、頚椎６０を支え持ち上げるものである。これらの第１ストレッチ部２０と第２ストレッチ部３０の位置は限定されるものではなく、適宜変更可能である。また、ストレッチ部２０，３０の枚数は単数でも良い。
【００５５】
中クッション層６の上部に、凹部１０から後方にかけて上クッション層５より厚く面積が小さく硬度が大きい第１ストレッチ部２０が形成されている。下クッション層７の上部には、凹部１０から後方にかけて中クッション層６の下クッション材６ｂより厚く面積が小さく硬度が大きい第２ストレッチ部３０が形成されている。
【００５６】
ストレッチ部２０，３０は縦長であって、頭の方向に沿って、頚椎６０を支えるように配置され、ストレッチ部２０，３０を凹部１０の中央の特定位置に平面視で前後方向に組み込んでいる。第１ストレッチ部２０よりも、第２ストレッチ部３０の方が硬い材質が好ましい。ここでは、ストレッチ部２０，３０は、どちらも、例えば、ウレタンフォーム等の発泡層である。
【００５７】
このように、上クッション層５、中クッション層６、下クッション層７の間に組み込まれているので、第１ストレッチ部２０は頭部５０からの荷重を支持する機能、第２ストレッチ部３０は下からの反発力を伝える機能を果たす。
【００５８】
このように、ストレッチ部２０，３０を、凹部１０に位置する特定の箇所に設け、頚椎６０を持ち上げるように支持することにより、仰向けに寝た時に胸鎖乳突筋がニュートラルか、やや伸びた状態、もしくは胸の筋肉が開くように形成される。
【００５９】
本実施形態のストレッチ枕１の特長は、頭を乗せた瞬間に心地いい感触とクッション性、様々な種類の中綿で試行した結果、中クッション層６の上クッション６ａに、羽毛のような滑らかなふわふわ感を得られるマイクロファイバー綿を採用したことである。マイクロファイバー（microfiber）は、化学的に組成された8マイクロメートル以下の極細のナイロンやポリエステルなどの繊維で、木綿と同等以上の吸水性や通気性・保温性を持たせた素材である。通常のポリエステル綿と比べて繊維が細くてへたりにくいマイクロファイバー綿と、低反発の上クッション層５、上クッション層５より反発力の高い中反発の中クッション層６、中クッション層６より高い反発力の高反発の下クッション層７、それぞれ、硬さの違う３種類のウレタンを重ね、伸縮性に優れた布地を採用することで、柔らかすぎず硬すぎず寝返りしやすいクッション性を確保したものである。
【００６０】
また、ストレッチ枕１は、こだわりのサイズと形状を備えている。全体の厚み７０mm、縦６００mm，横７００mmが例示され、肩甲骨から頭までスッポリと包み込む、大きなサイズである。通常の枕の縦サイズ（約４３ｃｍ）の約１．５〜２倍が好ましい。また、厚みの具体例としては、上クッション層５が３mm，第１ストレッチ部２０が８mm、下クッション材６ｂが８mm、第２ストレッチ部２０が２０mm、下クッション層７が２５mmが例示される。凹部１０は丘陵面のように湾曲しており、中央部で最大にえぐられ、肩甲骨にかけて緩やかに傾斜し、左右に一対の突き出し部１５，１６が岬のように突出している。どのような寝姿勢でも肩甲骨・肩・首・頭にフィットするので体に負荷のかかる枕との隙間を作らず、呼吸を邪魔しない理想的な寝姿勢を保つ形状となっている。それらを軽減するには、胸を開くストレッチが効果的である。このストレッチのためのストレッチ枕１は頚椎６０が乗る箇所のストレッチ部２０，３０に厚みを持たせ、自然に胸が開く特殊な構造になっている。
【００６１】
ストレッチの種類はたくさんあるが、シンプル且つ効果があるのは胸を開くことである。胸を開くことで現代人に多く見られる胸鎖乳突筋の縮こまりを伸ばすことが出来、大胸筋が伸び、背筋、首が自然と正しい位置になり、楽に呼吸できるようになる。楽に呼吸ができるということは体内に酸素を多く取り込むことができる。胸鎖乳突筋とは主に首を曲げ、回転させる働きを持つ。逆に胸を開かない姿勢がクセになっている人は胸鎖乳突筋が縮こまることで連鎖的に首が前に出て、背筋が曲がることになり、首・肩・腰に負担を掛けることになるばかりか、良い姿勢より呼吸が浅くなる。当然寝ている間の姿勢も非常に重要になる。胸を開いた良い状態を維持するためには、日常生活の中でも常に良い姿勢を維持しなければならないが、大変なことである。このストレッチ枕１は、寝るだけで自然に胸を開くストレッチができる効果がある。
【００６２】
よい睡眠とは、正しい姿勢で、呼吸がしやすく、ぐっすり眠れることである。そのためには、仰向けに寝た時に首前面（首の前）の筋肉（胸鎖乳突筋）がニュートラルか、やや伸びた状態、もしくは胸の筋肉（大胸筋など）が開いた（伸びた）状態が望ましい。頭から肩甲骨まで乗る大きいサイズで、頚椎６０をしっかり支える、比較的高さの低いストレッチ枕１を使うことで、胸の筋肉が開いて呼吸がしやすく、楽な姿勢で、良質な睡眠へと導いてくれる。また、フワフワで柔らかい感触と、寝返りのしやすさを実現するために素材を用いたものである。
【００６３】
ストレッチ枕１は、ストレッチ効果のあるこだわりの形状とクッション層を備えている。下からしっかり支える硬めのウレタンからなる下クッション材６ｂの上に、フワフワのマイクロファイバー綿からなる上クッション材６ａを約４００ｇ入れ、さらに、その中央部には頚椎６０を支える約３.６ｃｍのウレタンシートから第１ストレッチ部２０を貼り合わせたものである。このストレッチ枕１は、図４に示す通り、大判サイズで、肩甲骨が当たる凹部１０にかけて緩やかに傾斜しており、高さはもっとも高いところで約１２ｃｍ、頚椎６０は約６ｃｍである。大判であるので、ストレッチ枕１のやや上部に頭の位置を合わせて使用すると、ストレッチ部２０，３０で頚椎を支えることで、首が伸び、また、ストレッチ部２０，３０に隣接する、凹部１０の両サイドが少し低くなるために肩が左右に落ちて、必然的に、胸の筋肉が開く設計になっている。
【００６４】
図５に示す通り、変更形態のストレッチ枕１０１は、縫い目８０を設けて、前記実施形態の第１ストレッチ部２０と上クッション層５とを縫い合わせたものである。縫い目８０は縦２０mm、横８mmが例示される。これにより、ストレッチ部２０，３０と他の領域との境界が明確になる。なお、ストレッチ枕１０１にポケットを設けて第１ストレッチ部２０をポケットに収容するようにしてもよい。
【００６５】
上クッション層５の厚み3mm、密度35kg/m3、中クッション層６の厚み8cm、下クッション層７の厚み2.5cm、密度30kg/m3、ストレッチ部２０の8mm、密度18kg/m3、ストレッチ部３０の厚み2cm、密度30kg/m3が例示されるが、これに限定されるわけではない。密度の大きい順に、上クッション層５、下クッション層７、ストレッチ部３０、ストレッチ部２０である。中クッション層６の密度は適宜設定され得る。厚みは大きい順に、中クッション層６、下クッション層７、ストレッチ部３０、ストレッチ部２０、上クッション層５が例示されるが、限定されるわけではなく、適宜、設定可能である。
【産業上の利用可能性】
【００６６】
肩痛や肩こりの治療を目的とし医療目的を持ったストレッチ枕、一般家庭や宿泊施設における熟睡や安眠を目的とした普及用途のストレッチ枕、また、病院の入院患者向けストレッチ枕、老人介護施設の入所者向けストレッチ枕、バスやトラック、寝台列車、航空機のストレッチ枕として幅広い用途への可能性がある。
【符号の説明】
【００６７】
１…ストレッチ枕
２…上表皮
３…下表皮
４…枕芯
５…上クッション層
６ａ…上クッション材
６ｂ…下クッション材
６…中クッション層
７…下クッション層
９…縫い合わせ部分
１０…凹部
１５，１６…突き出し部
２０…第１ストレッチ部
３０…第２ストレッチ部
５０…頭部
６０…脊髄
７０…縫い目
【図１】
2014036772.tif 000003
【図２】
2014036772.tif 000004
【図４】
2014036772.tif 000005
【図５】
2014036772.tif 000006
【図３】
2014036772.tif 000007